(57)【特許請求の範囲】
【請求項１】
前フレームと後フレームとの間に圧接状態と離隔状態との間で移動可能に支持される複数のろ板と、各ろ板間でろ面が対向するように支持され前記圧接状態でろ過室が形成される無端状のろ布と、を有するろ過機構と、
前記離隔状態で、前記ろ布を走行させる駆動ローラと、
前記ろ布を洗浄する洗浄機構と、
搬送中の前記ろ布に所定の張力を付与する緊張機構と、
を備えているフィルタプレス脱水装置であって、
前記ろ布の走行方向に沿って、前記ろ過機構の下流側に前記洗浄機構が設置され、前記洗浄機構の下流側に前記駆動ローラが設置され、前記駆動ローラの下流側であって前記ろ過機構の上流側に前記緊張機構が設置されているフィルタプレス脱水装置。
【請求項２】
前記洗浄機構は、前記ろ布を繰り出すガイドローラを備え、前記洗浄機構で洗浄された前記ろ布が、前記洗浄機構の上方空間を覆うように前記ガイドローラと前記駆動ローラとの間に掛け渡されている請求項１記載のフィルタプレス脱水装置。
【請求項３】
前記前フレームと後フレームの何れか一方のフレームに、前記圧接状態または前記離隔状態に前記ろ板を移動させる進退機構と、前記駆動ローラとが設置され、前記圧接状態で前記ろ板を受け止める他方のフレームに、前記洗浄機構が設置され、
前記洗浄機構で洗浄された前記ろ布が、前記ろ板の上方空間を覆うように前記洗浄機構と前記駆動ローラとの間に掛け渡されている請求項１または２記載のフィルタプレス脱水装置。
【請求項４】
前記ろ布の走行方向に沿って、前記洗浄機構と前記駆動ローラとの間に、前記ろ布の幅方向走行位置を規制する蛇行修正機構が設置されている請求項１から３の何れかに記載のフィルタプレス脱水装置。
【発明の詳細な説明】
【技術分野】
【０００１】
本発明は、前フレームと後フレームとの間に圧接状態と離隔状態との間で移動可能に支持される複数のろ板と、各ろ板間でろ面が対向するように支持される無端状のろ布と、離隔状態で、ろ布を走行させる駆動ローラと、ろ布を洗浄する洗浄機構と、を備えているフィルタプレス脱水装置に関する。
【背景技術】
【０００２】
従来、浄水場や下水処理場で発生する汚泥を脱水してろ液とケーキに分離する汚泥処理工程、或は、カーボン製品やチタン製品等の製造工程で必要となる固液分離工程等、様々な分野で固液分離のためにフィルタプレス脱水装置が用いられている。
【０００３】
図６には、特許文献１に開示された従来のろ布走行型のフィルタプレス脱水装置８０が示されている。フィルタプレス脱水装置８０は、前フレーム８１と後フレーム８２の間に架設されたサイドフレーム８３に複数のろ板８４が圧接状態と離隔状態との間で摺動可能に配設され、前フレーム８１に設置された油圧シリンダ８６の進出作動に伴なって、当該油圧シリンダ８６に連結された押圧部材８５を介して、各ろ板８４が後フレーム８２方向に押圧された圧接状態に移行し、当該油圧シリンダ８６の引退作動に伴なって、各ろ板８４が互いに離隔した離隔状態に移行するように構成されている。
【０００４】
ろ板８４間には支持機構８７によってろ面が対向するように支持された無端状のろ布が配され、圧接状態で各ろ板８４に挟持されたろ布８８で区画された空間となるろ過室に処理対象物であるスラリーが圧入されることにより、あるいは、その状態でろ板８４に備えたダイヤフラムを膨張させることにより、スラリーが固液分離され、各ろ板８４が離隔状態に移行すると、ろ布８８から脱水ケーキが剥離落下する。
【０００５】
前フレーム８１と後フレーム８２の間であって、各ろ板８４の上方空間に上フレーム８９が架設され、当該上フレーム８９に、各ろ過室を形成する無端状のろ布８８を走行させる駆動ローラ９０と、駆動ローラ９０によって巻き上げられたろ布８８を洗浄する洗浄機構９１と、洗浄後のろ布８８に所定の張力を付与する緊張機構９２と、緊張されたろ布８８の幅方向走行位置を規制する蛇行修正機構９３とが設置され、蛇行修正されたろ布８８が再度ろ板８４に向けて循環走行するように構成されている。
【０００６】
各ろ板８４が離隔状態に移行すると、駆動ローラ９０により所定距離巻き上げられ、その後さらに圧接状態に移行してスラリーの固液分離が繰り返される。洗浄機構９１は、巻き上げられたろ布８８に洗浄水を吹き付けるノズルと、ノズルから供給された洗浄水を受け止めて排水する洗浄槽と、洗浄水が洗浄槽から外部に飛散することが無いように洗浄槽を覆う蓋体等を備えている。
【先行技術文献】
【特許文献】
【０００７】
【特許文献１】特開平５−１５７１０号公報
【発明の概要】
【発明が解決しようとする課題】
【０００８】
しかし、上述のフィルタプレス脱水装置は、駆動ローラによってろ布を巻き上げる際に、ろ布の表面に残留している脱水ケーキ等の残渣が駆動ローラに付着堆積して、駆動ローラの幅方向に沿ったろ布に作用する搬送力が変動する虞があった。例えば、駆動ローラに残渣が付着堆積した領域で搬送量が大きくなり、幅方向に沿って搬送量が変動し、或は、逆に残渣が付着堆積した領域でろ布に滑りが生じて、幅方向に沿って搬送量が変動するのである。
【０００９】
ろ布に最大の張力が掛かる駆動ローラによる巻上げ時に、このような搬送力の変動が発生すると、ろ布が大きく蛇行したり皺が発生する虞が強くなり、蛇行修正機構でろ布の幅方向走行位置を適正に規制することができなくなるばかりか、ろ布の寿命が短くなるという問題があり、万一、蛇行修正機構でろ布の幅方向走行位置が適正に規制することができない場合には、ろ過室から処理対象物が漏れるという問題や、長期的にろ布に不均一な張力が作用して寿命が短くなり破損する虞があるという問題もあった。
【００１０】
本発明は、ろ布に付着する残渣によるろ布の皺や蛇行等の問題を回避し、長期安定的に稼動させることができるフィルタプレス脱水装置を提供することを目的とする。
【課題を解決するための手段】
【００１１】
上述の目的を達成するため、本発明によるフィルタプレス脱水装置の特徴構成は、特許請求の範囲の書類の請求項１に記載した通り、前フレームと後フレームとの間に圧接状態と離隔状態との間で移動可能に支持される複数のろ板と、各ろ板間でろ面が対向するように支持され前記圧接状態でろ過室が形成される無端状のろ布と、を有するろ過機構と、前記離隔状態で、前記ろ布を走行させる駆動ローラと、前記ろ布を洗浄する洗浄機構と、搬送中の前記ろ布に所定の張力を付与する緊張機構と、を備えているフィルタプレス脱水装置であって、前記ろ布の走行方向に沿って、前記ろ過機構の下流側に前記洗浄機構が設置され、前記洗浄機構の下流側に前記駆動ローラが設置され、前記駆動ローラの下流側であって前記ろ過機構の上流側に前記緊張機構が設置されている点にある。
【００１２】
上述の構成によれば、圧接状態で形成されるろ過室でろ過された後、各ろ板の離隔状態で駆動ローラによって巻き上げられるろ布は、先ず洗浄機構に供給されて洗浄され、ろ布に付着した残渣が除去された後に駆動ローラで搬送されるようになる。従って、駆動ローラによりろ布に大きな張力が作用する際に、駆動ローラに脱水ケーキの残渣が付着することがないため、当該残渣の付着堆積に起因する大きな蛇行や、皺の発生という不都合な事態の発生が未然に回避できるようになる。そして、ろ布に対する張力が小さくなる駆動ローラの下流側で、緊張機構によってろ布の張力が適正な値に調整されるので、その下流側に設置されたろ過機構に向けて、ろ布が安定して搬送されるようになる。尚、図６に示した従来のフィルタプレス脱水装置では、ろ布に安定した張力を付与するために、洗浄機構の下流側に緊張機構を設置せざるを得ず、駆動ローラの下流側に設置された洗浄機構によってろ布が若干伸張する影響によって、駆動ローラの前後でろ布に安定した張力を付与することは困難であった。
【００１３】
同第二の特徴構成は、同請求項２に記載した通り、上述の第一特徴構成に加えて、前記洗浄機構は、前記ろ布を繰り出すガイドローラを備え、前記洗浄機構で洗浄された前記ろ布が、前記洗浄機構の上方空間を覆うように前記ガイドローラと前記駆動ローラとの間に掛け渡されている点にある。
【００１４】
洗浄機構から洗浄後のろ布を繰り出すガイドローラと駆動ローラとの間にろ布が掛け渡され、洗浄機構からガイドローラによって繰り出されたろ布が洗浄機構の上方空間を覆うようにガイドローラが設置されているため、洗浄機構から洗浄水が上方に飛散するような場合であっても、その上方空間を覆うろ布によって洗浄水の飛散が妨げられるので、洗浄機構から洗浄水の飛散を抑制するための別途の蓋体等を設ける必要がなく、洗浄機能を構成する部品点数を減少させることができる。
【００１５】
また、ろ布によって、洗浄機構に落下する塵埃等が受け止められるので、別途の外装カバー体を設ける必要も無い。
【００１６】
同第三の特徴構成は、同請求項３に記載した通り、上述の第一または第二特徴構成に加えて、前記前フレームと後フレームの何れか一方のフレームに、前記圧接状態または前記離隔状態に前記ろ板を移動させる進退機構と、前記駆動ローラとが設置され、前記圧接状態で前記ろ板を受け止める他方のフレームに、前記洗浄機構が設置され、前記洗浄機構で洗浄された前記ろ布が、前記ろ板の上方空間を覆うように前記洗浄機構と前記駆動ローラとの間に掛け渡されている点にある。
【００１７】
前フレームまたは後フレームの何れかに設置された進退機構によって、複数のろ板が他方のフレームで受け止められるように圧接され、進退機構と同じフレームに設置された駆動ローラによって、離隔状態の各ろ板から無端状のろ布が繰り出される。各ろ板から繰り出されたろ布が他方のフレームに設置された洗浄機構で洗浄された後に、ろ板の上方空間を覆うようにして駆動ローラに掛け渡されているので、各ろ板の上方空間に何らの支持フレームを設ける必要が無い。従って、ろ布を取り外しさえすれば、障害物が無いろ板の上方空間にろ板を引き上げて装置のメンテナンスが極めて容易にできるようになる。
【００１８】
また、洗浄機構と前記駆動ローラとの間に掛け渡されたろ布によって、フィルタプレス装置の上方空間から落下する塵埃等が受け止められるので、別途の外装カバー体を設ける必要も無い。
【００１９】
尚、図６に示した従来のフィルタプレス脱水装置では、前フレーム８１と後フレーム８２の間であって、各ろ板８４の上方空間に架設された上フレーム８９に、駆動ローラ９０、洗浄機構９１、緊張機構９２等が設置されていたため、ろ板の上方空間にろ板を引き上げるために、それらを取り外すための極めて煩雑な作業を強いられていたばかりでなく、ろ板８４の設置枚数に応じた長さの上フレーム８９を準備しなければならないという煩雑さがあった。
【００２０】
同第四の特徴構成は、同請求項４に記載した通り、上述の第一から第三の何れかの特徴構成に加えて、前記ろ布の走行方向に沿って、前記洗浄機構と前記駆動ローラとの間に、前記ろ布の幅方向走行位置を規制する蛇行修正機構が設置されている点にある。
【００２１】
上述の構成によれば、洗浄機構によって洗浄された後のろ布に対して、蛇行修正機構によって張力を適切に維持した状態で蛇行修正できるため、適正な搬送姿勢に矯正された後に、駆動ローラによって安定した姿勢で下流側に向けて搬送されるようになる。
【発明の効果】
【００２２】
以上説明した通り、本発明によれば、ろ布に付着する残渣によるろ布の皺や蛇行等の問題を回避し、長期安定的に稼動させることができるフィルタプレス脱水装置を提供することができるようになった。
【図面の簡単な説明】
【００２３】
【図１】本発明によるフィルタプレス脱水装置の概略図
【図２】ろ過装置の説明図
【図３】蛇行修正機構の説明図
【図４】ろ板の離脱作業の説明図
【図５】別実施形態を示す説明図
【図６】従来のフィルタプレス脱水装置の説明図
【発明を実施するための形態】
【００２４】
以下に、本発明によるろ布走行型のフィルタプレス脱水装置を説明する。
【００２５】
図１に示すように、フィルタプレス脱水装置１０は、前フレーム１１と、後フレーム１２と、前フレーム１１と後フレーム１２との間に架設された一対のサイドフレーム１３を備えている。
【００２６】
一対のサイドフレーム１３に複数のろ板２１が摺動可能に支持され、前フレーム１１に設置された進退機構３０によって、各ろ板２１が圧接状態と離隔状態の間で移動自在に駆動される。
【００２７】
前フレーム１１の上部には無端状のろ布１４を繰り出す駆動ローラ４１が配置され、後フレーム１２の上部にはろ布１４を洗浄する洗浄機構５０が配置されている。
【００２８】
駆動ローラ４１で繰り出されたろ布１４は、同じく前フレーム１１に設置された緊張機構７０によって所定の張力に調整された後に、各ろ板２１の上下に設置された支持機構２３によってろ面が対向するように掛け渡され、各ろ板２１から繰り出された後に洗浄機構５０に導かれるように配置されている。
【００２９】
各ろ板２１の正面及び背面側には、上下に一対の係合ピンが突設され、隣接する一対のろ板２１の係合ピン同士が、連結金具に形成された長孔に係合したリンク機構１５で連結されている。そして、図１中、左端のろ板２１が後フレーム１２と連結され、右端のろ板２１が進退機構３０と連結されている。
【００３０】
進退機構３０はロッド３１の先端に押圧部材３２を備えた油圧シリンダ３３で構成されている。油圧シリンダ３３によりロッド３１を進出作動させると、押圧部材３２を介して各ろ板２１が後フレーム１２に向けて押圧された圧接状態に移行し、ロッド３１を引退作動させると、前フレーム１１に向けて各ろ板２１が移動して、連結金具に形成された長孔で規定される距離だけ離隔した離隔状態に移行する。
【００３１】
図２に示すように、本実施例では、各ろ板２１には、配列方向に沿って一方の面にダイヤフラム２２が取付けられており、当該ダイヤフラム２２に隣接するろ板２１の背面とで仕切られる空間でろ室が形成される。
【００３２】
支持機構２３は、各ろ板２１に固定されたブラケットに支持された上部ローラ２３ａ及び下部ローラ２３ｂを備え、両ローラ２３ａ，２３ｂによって隣接するろ板２１間でろ布１４が上下方向に張設されている。
【００３３】
上部ローラ２３ａの近傍には、ろ板２１が離隔状態でろ布１３がろ板２１及びダイヤフラム２２に接触しないように案内するガイドローラ２３ｃが備えられている。
【００３４】
進退機構３０によってろ板２１が圧接状態に移行したときに、ろ室内でろ布１４によって仕切られる空間がろ過室となる。
【００３５】
各ろ板２１にその厚み方向に貫通形成された貫通孔に口金が設けられ、圧接状態で口金によって各ろ板２１の貫通孔が連通するように構成されている。そして、圧接状態で後フレーム１２に備えた供給口から当該貫通孔に処理対象物が供給され、口金に形成された分岐路を介して各ろ過室に処理対象物が充填される。
【００３６】
本実施例では、各ろ板２１の下方に備えられた加圧水流路２４から加圧水を供給して、ろ板２１に取付けられたダイヤフラム２２をろ室側に膨らませることにより、処理対象物が圧搾される。
【００３７】
図１に戻り、上述したフィルタプレス脱水装置１０は、進退機構３０が進出作動した圧接状態で、各ろ過室に処理対象物が充填される。
【００３８】
そして、脱水処理の後に進退機構３０が引退作動した離隔状態で、脱水ケーキをろ布１４から離脱させるべく、駆動ローラ４１によって所定距離だけろ布１４を走行させる走行処理が実行され、その後、進退機構３０が進出作動して、同様の処理が繰り返される。尚、駆動ローラ４１は減速機構を介して駆動モータに駆動連結され、駆動ローラ４１と減速機構と駆動モータによって駆動機構４０が構成されている。
【００３９】
最終段のろ過装置２０から繰り出されたろ布１４は、後フレーム１２に備えた洗浄機構５０によって洗浄された後、蛇行修正機構６０を経由して駆動ローラ４１に掛け渡される。
【００４０】
つまり、駆動ローラ４１が、ろ布１４の走行経路で走行方向に沿って洗浄機構４０の下流側に設置され、ろ布１４が洗浄機構４０で事前に洗浄されているので、駆動ローラ４１に脱水ケーキの残渣が付着することがなく、駆動ローラ４１による搬送によってろ布１４に大きな張力が作用する際に、当該残渣の付着堆積に起因する大きな蛇行や、皺の発生という不都合な事態の発生が未然に回避できるようになる。
【００４１】
洗浄機構５０は、洗浄水を受け止める洗浄槽５３と、最終段のろ過装置２０から繰り出されたろ布１４をＵターンさせて洗浄槽５３内に導くガイドローラ５１と、洗浄槽５３内でろ布１４を折り返すガイドローラ５４と、折り返されたろ布１４の両面に洗浄水を噴きつけるノズル５２と、洗浄後のろ布１４を洗浄槽５３から繰り出すガイドローラ５５を備えている。
【００４２】
ガイドローラ５５は洗浄槽５３の上部左端部に配置され、洗浄後のろ布１４がガイドローラ５５と駆動ローラ４１との間に掛け渡されている。
【００４３】
つまり、洗浄機構５０で洗浄されたろ布１４が、洗浄機構５０殊に洗浄槽５３の上方空間を覆うようにガイドローラ５５と駆動ローラ４１との間に掛け渡されているため、洗浄機構５０から洗浄水が上方空間に飛散するような場合であっても、その上方空間を覆うろ布１４によって洗浄水の飛散が妨げられるので、洗浄機構５０から洗浄水の飛散を抑制するための別途の蓋体等を設ける必要がなく、洗浄機能を構成する部品点数を減少させることができる。
【００４４】
このように、無端状のろ布１４を循環させて、ろ布の走行経路の一箇所に配置した洗浄機構５０によってろ布を洗浄して目詰まりを解消することができるので、ろ室毎に洗浄機構を備えるような大掛かりな構成を採用する必要がなく、洗浄水の飛散が少ないうえに、シンプルな洗浄機構で僅かな洗浄水でろ布１４を洗浄することができる。
【００４５】
また、洗浄機構５０で洗浄されたろ布１４が、ろ板２１の上方空間を覆うように洗浄機構５０と駆動ローラ４１との間に掛け渡されているため、ろ布１４を取り外しさえすれば、障害物が無いろ板２１の上方空間にろ板２１を引き上げることができ、装置のメンテナンス作業が極めて容易になる。
【００４６】
また、洗浄機構５０と駆動ローラ４１との間に掛け渡されたろ布１４によって、フィルタプレス装置１０の上方空間から落下する塵埃等が受け止められるので、別途の外装カバー体を設ける必要も無い。
【００４７】
洗浄機構５０と駆動ローラ４１との間に備えた蛇行修正機構６０は、ろ布１４の幅方向走行位置を規制する機構であり、前フレーム１１の上部に取り付けられた支持フレームに設置されている。
【００４８】
図３に示すように、蛇行修正機構６０は、一対の蛇行修正ローラ６１と、一対の蛇行修正ローラ６１の両端を支持する支持部６２と、支持部６２をガイドレール６３に沿って変位させるエアシリンダ６４と、ろ布１４の幅方向の蛇行量を検出するセンサと、センサによって検出された蛇行量に基づいて、エアシリンダ６４へのエアの供給量を制御する制御部を備えている。制御部は、蛇行量に基づいてエアシリンダ６４を制御し、蛇行修正ローラ６１をその軸芯方向に沿って移動させることにより、ろ布１４の幅方向位置を調整する。
【００４９】
洗浄機構５０によって洗浄された後のろ布１４に対して、蛇行修正機構６０によって充分な張力を維持した状態で蛇行修正され、適正な搬送姿勢に矯正された後に、駆動ローラ４１によって安定した姿勢で下流側に向けて搬送されるようになる。
【００５０】
再度、図１に戻り、緊張機構７０について説明する。緊張機構７０は、前フレーム１１に固定された複数の固定ローラ７１と、固定ローラ７１に対して接近、離間する複数の移動ローラ７２と、移動ローラ７２に張力を掛けて移動させる移動機構とを備えている。本実施例では、移動ローラ７２と固定ローラ７１の組合わせを３段としているが、ろ布の長さに応じて適当な段数備えてよく、また、固定ローラ７１と移動ローラ７２間の距離を適当に設定すればよい。
【００５１】
移動ローラ７２が固定ローラ７１に対して接近、離間することによって、ろ布１４に所定の張力が付与される。所定の張力とは、駆動ローラ４１とろ布１４がスリップせず安定走行可能な張力をいう。
【００５２】
ろ布１４が駆動ローラ４１により安定して搬送されるためには、駆動ローラ４１の前後で十分な張力が作用している必要があるが、上述の構成によれば、ろ布１４に対する張力が小さくなる駆動ローラ４１の下流側で、緊張機構７０によってろ布の張力が適正な値に調整されるので、ろ布１４が安定して駆動ローラ４１で駆動され、その下流側に設置されたろ板２１に向けて搬送されるようになる。
【００５３】
尚、図６に示す従来フィルタプレス脱水装置では、洗浄機構９１の直後に緊張機構９２を備えているため、ろ布８８が洗浄水を含んで若干伸張するため、緊張機構９２により付与された張力が不安定になる場合がある。
【００５４】
これに対して、本発明によるフィルタプレス脱水装置１０では、後フレーム１２に備えた洗浄機構５０から、前フレーム１１に備えた緊張機構７０迄、ろ布１４の十分な走行距離が確保できるため、その間にろ布１４の含水量が低減して過渡的な伸張状態が解消でき、緊張機構７０による安定した張力の付与が可能となる。
【００５５】
また、図６に示す従来のフィルタプレス脱水装置８０では、駆動ローラ９０、洗浄機構９１、緊張機構９２、蛇行修正機構９３等を支持する上フレーム８９が、前フレーム８１と後フレーム８２との間に架設されていたため、メンテナンス等でろ板８４をフィルタプレス脱水装置８０から離脱させる必要がある場合には、上フレーム８９を取り外して、各ろ板８４の上方空間を開放する必要があり、メンテナンス作業が非常に煩雑で手間が掛かるものとなっていた。
【００５６】
しかし、本発明によるフィルタプレス脱水装置１０は、ろ過装置２０の上方空間にそのような障害物が無いため、ろ布１４を取り除けば、容易にろ過装置２０を上方に離脱可能となり、メンテナンス作業が効率的に行えるようになった。
【００５７】
図４には、ろ布１４が取り除かれた後に、ろ過装置２０を上方に離脱させる際の様子が示されている。
【００５８】
以下に、本発明によるフィルタプレス脱水装置の別実施形態について説明する。
【００５９】
図５に示すように、洗浄機構５０は、ガイドローラ５１によりろ布１４を洗浄機構５０内に導いた後、ろ布１４の片面又は両面に洗浄水を噴きつけるノズル５２によりろ布１４を洗浄し、その後、洗浄槽５３内でろ布１４を折り返すガイドローラ５４を経て、ガイドローラ５５によってろ布１４を洗浄槽５３から繰り出すように構成してもよい。
【００６０】
また、蛇行修正機構６０の設置位置は、図１に示すような、洗浄機構５０と駆動ローラ４１の略中央位置である必要はなく、図５に示すように、駆動ローラ５１の直近の上流側に設置してもよい。この場合、ろ過装置２０の上方空間が広くとれるため、メンテンス作業でろ過装置２０の離脱が容易となる。
【００６１】
上述した実施形態では、前フレーム１１に駆動ローラ４１と、進退機構３０と、蛇行修正機構６０と、緊張機構７０とを備え、後フレーム１２に洗浄機構５０を備える構成について説明したが、前フレーム１１に洗浄機構５０を備え、後フレーム１２に駆動ローラ４１と、進退機構３０と、蛇行修正機構６０と、緊張機構７０とを備える構成であってもよい。
【００６２】
何れの場合でも、ろ布１４に洗浄水を噴きつけるノズル５２を備えた洗浄機構５０と、各ろ板２１の離隔状態でろ布１４を走行させる駆動ローラ４１と、ろ布に所定の張力を付与する緊張機構７０とが、この順番でろ布１４の走行経路に沿って備えられていればよい。
【００６３】
つまり、前フレームと後フレームの何れか一方のフレームに、駆動ローラが設置され、圧接状態でろ板を受け止める他方のフレームに、洗浄機構が設置され、洗浄機構で洗浄されたろ布が、ろ板の上方空間を覆うように洗浄機構と駆動ローラとの間に掛け渡されていればよい。
【００６４】
ろ板１４を圧接状態と離隔状態との間で移動させる機構は、上述した油圧シリンダを備えた進退機構３０で構成されるものに限らず、前フレーム１１と後フレーム１２に備えたスプロケット間に配設したチェーンに各ろ板１４を懸架して、スプロケットを駆動しチェーンを移動させることで、当該チェーンに懸架された各ろ板１４を、圧接状態と離隔状態との間で移動させる構成であってもよい。
【００６５】
上述した実施形態は、何れも本発明の一例であり、当該記載により本発明が限定されるものではなく、各部の具体的構成は本発明の作用効果が奏される範囲で適宜変更設計可能であることはいうまでもない。
【符号の説明】
【００６６】
１０：フィルタプレス脱水装置
１１：前フレーム
１２：後フレーム
１３：サイドフレーム
１４：ろ布
１５：リンク機構
２０：ろ過装置
２１：ろ板
２２：ダイヤフラム
２３：支持機構
２３ａ：上部ローラ
２３ｂ：下部ローラ
２３ｃ：ガイドローラ
２４：加圧水流路
３０：進退機構
３１：ロッド
３２：押圧部材
３３：油圧シリンダ
４０：駆動機構
４１：駆動ローラ
５０：洗浄機構
５１：ガイドローラ
５２：ノズル
５３：洗浄槽
５４：ガイドローラ
５５：ガイドローラ
６０：蛇行修正機構
６１：蛇行修正ローラ
６２：支持部
６３：ガイドレール
６４：エアシリンダ
７０：緊張機構
７１：固定ローラ
７２：移動ローラ
【図１】
0005627397.tif 000002
【図２】
0005627397.tif 000003
【図３】
0005627397.tif 000004
【図４】
0005627397.tif 000005
【図５】
0005627397.tif 000006
【図６】
0005627397.tif 000007